(57)【特許請求の範囲】
【請求項１】
所定の位置において表面から裏面に貫通されるシート・ベルト・バックル格納開口を備えてシート・クッション・フレーム上に支持されるシート・クッション・パッドと、そのシート・ベルト・バックル格納開口の内周面も覆ってそのシート・クッション・パッドに被せられ、そして、そのシート・クッション・フレームに止められるトリム・カバーと、そのシート・ベルト・バックル格納開口の直下でそのシート・ベルト・バックル格納開口を横切ってそのシート・クッション・フレームに用いられる少なくとも一個のワイヤとを含む乗り物シートに使用されるベンチ・タイプ・シート・クッション。
【発明の詳細な説明】
【０００１】
【発明の関係する分野】
この発明は、乗り物シートに使用されるベンチ・タイプ・シート・クッションに関する。
【０００２】
【背景技術】
乗用車のリア・シートでは、リア・シート・クッションは、その表面において中央後方にポケットを開口させてそのポケットにシート・ベルト・バックルを格納可能にするのが一般である。そのポケットはトリム・カバーがフレームに吊り込まれてシート・クッション・パッド内に仕上げられるので、そのトリム・カバーの吊込みは厄介であった。また、そのバックルは、ウェビングの先端に結合され、そして、そのウェビングがシート・ベルト・アンカで根元をフロアにねじ止めされるに加えてそのポケットからはそのフロア側が覗けないので、そのリア・シート・クッションの下からそのポケットにそのバックルおよびウェビングを引き込れてそのリア・シート・クッションに組み合わせる作業が非常に厄介になった。
【０００３】
【発明の課題】
この発明の課題は、シート・ベルト・バックルをシート・クッションに格納するポケットを簡単にでき、そして、そのバックルをそのポケットに引き込んでそのシート・クッションに組み合わせる作業を容易にするところの乗り物シートに使用されるベンチ・タイプ・シート・クッションの提供にある。
【０００４】
【課題に相応する手段およびそれの作用】
この発明は、所定の位置において表面から裏面に貫通されるシート・ベルト・バックル格納開口を備えてシート・クッション・フレーム上に支持されるシート・クッション・パッドと、そのシート・ベルト・バックル格納開口の内周面も覆ってそのシート・クッション・パッドに被せられ、そして、そのシート・クッション・フレームに止められるトリム・カバーと、そのシート・ベルト・バックル格納開口の直下でそのシート・ベルト・バックル格納開口を横切ってそのシート・クッション・フレームに用いられる少なくとも一個のワイヤとを含み、そして、そのシート・ベルト・バックル格納開口の底にそのワイヤを用い、そして、シート・ベルト・バックルを格納する通常のポケットとしてシート・ベルト・バックル格納開口を機能させる。
【０００５】
【具体例の説明】
以下、特定されて図示された具体例に基づいて、この発明の乗り物シートに使用されるベンチ・タイプ・シート・クッションを説明するに、図１ないし図３は、乗用車のリア・シート３０のリア・シート・クッションに活用されるところこの発明の乗り物シートに使用されるベンチ・タイプ・シート・クッションの具体例１０を示し、そして、そのリア・シート・クッション１０では、シート・クッション・パッド１２が、所定の位置において表面から裏面に貫通されるシート・ベルト・バックル格納開口１４，１５を備えてシート・クッション・フレーム１１上に支持され、また、トリム・カバー１３が、そのシート・ベルト・バックル格納開口１４，１５の内周面も覆ってそのシート・クッション・パッド１２に被せられ、そして、そのシート・クッション・フレーム１１に止められ、さらに、縦のフレーム・ワイヤ１６および横のフレーム・ワイヤ１７が、そのシート・ベルト・バックル格納開口１４，１５の直下でそのシート・ベルト・バックル格納開口１４，１５を横切ってそのシート・クッション・フレーム１１に用いられる。
【０００６】
そのシート・ベルト・バックル格納開口１４，１５は、そのシート・クッション・パッド１２の中央でリア・シート・バック３１側に位置され、そして、そのシート・クッション・パッド１２のその表面からその裏面に貫通されてそのシート・クッション・パッド１２に穴明けされる。そのシート・ベルト・バックル格納開口１４，１５の一方１４は、二個のシート・ベルト・バックル１８，１９を、そのシート・ベルト・バックル格納開口１４，１５の他方１５は、一個のシート・ベルト・バックル２０をそれぞれ格納可能にする大きさに設計されている。そのシート・ベルト・バックル１８，１９，２０は、シート・ベルト・アンカ２４，２５，２６を付けるウェビング２１，２２，２３でフロア４０に通常に据え付けられる。
【０００７】
その縦のフレーム・ワイヤ１６および横のフレーム・ワイヤ１７は、そのシート・ベルト・バックル格納開口１４，１５にそのシート・ベルト・バックル１８，１９，２０を引き込める面積を確保する配置関係でそのシート・クッション・フレーム１１に溶接されてそのシート・ベルト・バックル格納開口１４，１５に底として機能し、そして、ポケットとしてそのシート・ベルト・バックル格納開口１４，１５を使用可能にする。特に、その横のフレーム・ワイヤ１７は格納状態でそのシート・ベルト・バックル格納開口１４，１５内にそのシート・ベルト・バックル１８，１９，２０を支持する。
【０００８】
また、そのリア・シート・クッション１０を活用するそのリア・シート３０において３２，３３はヘッド・レストレイントである。
【０００９】
したがって、その上述されたリア・シート・クッション１０は、そのフロア４０側がそのシート・ベルト・バックル格納開口１４，１５から覗かれ、そのシート・ベルト・バックル１８，１９，２０およびウェビング２１，２２，２３がそのリア・シート・クッション１０の下からそのシート・ベルト・バックル格納開口１４，１５に容易に引き込まれ、そして、その引込み作業、すなわち、そのシート・ベルト・バックル１８，１９，２０およびウェビング２１，２２，２３をそのシート・ベルト・バックル格納開口１４，１５に引き入れてそのリア・シート・クッション１０に組み合わせる作業が非常に簡単になる。また、そのシート・ベルト・バックル格納開口１４，１５は、そのシート・クッション・パッド１２においてその表面からその裏面に貫通され、そして、その縦のフレーム・ワイヤ１６および横のフレーム・ワイヤ１７でポケットに使用可能になってそのトリム・カバー１３がそのシート・ベルト・バックル格納開口１４，１５に容易に吊り込み可能になり、そして、そのポケットの構造を簡単にする。
【００１０】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【００１１】
【発明の便益】
上述から理解されるように、この発明の乗り物シートに使用されるベンチ・タイプ・シート・クッションは、所定の位置において表面から裏面に貫通されるシート・ベルト・バックル格納開口を備えてシート・クッション・フレーム上に支持されるシート・クッション・パッドと、そのシート・ベルト・バックル格納開口の内周面も覆ってそのシート・クッション・パッドに被せられ、そして、そのシート・クッション・フレームに止められるトリム・カバーと、そのシート・ベルト・バックル格納開口の直下でそのシート・ベルト・バックル格納開口を横切ってそのシート・クッション・フレームに用いられる少なくとも一個のワイヤとを含むので、この発明の乗り物シートに使用されるベンチ・タイプ・シート・クッションでは、そのシート・ベルト・バックル格納開口が、そのワイヤでシート・ベルト・バックルのポケットに使用可能になって構造的に簡素化され、また、そのトリム・カバーが、そのシート・ベルト・バックル格納開口に容易に吊り込み可能になり、さらに、フロア側がそのシート・ベルト・バックル格納開口から覗かれ、そのシート・ベルト・バックルおよびウェビングがそのシート・クッションの下からそのシート・ベルト・バックル格納開口に容易に引き入れられてそのシート・ベルト・バックルおよびウェビングをそのシート・クッションに組み合わせる作業が非常に簡便になり、その結果、乗用車、バン・ワゴン、リクリエーショナル・ビークルなどにとって非常に有用で実用的である。
【図面の簡単な説明】
【図１】この発明の乗り物シートに使用されるベンチ・タイプ・シート・クッションの具体例を活用するところの乗用車のリア・シートを示した斜視図である。
【図２】図１の２−２線に沿って示した断面図である。
【図３】図１に示されたリア・シート・クッションを一部破断して示した底面図である。
【符号の説明】
１１    シート・クッション・フレーム
１２    シート・クッション・パッド
１３    トリム・カバー
１４    シート・ベルト・バックル格納開口
１５    シート・ベルト・バックル格納開口
１６    ワイヤ／縦のフレーム・ワイヤ
１７    ワイヤ／横のフレーム・ワイヤ
【図１】
0003703963.tif 000002
【図２】
0003703963.tif 000003
【図３】
0003703963.tif 000004